(57)【要約】【課題】例えば、２５〜３０ｋｇ程度のワークを、その加工中や修理、洗浄中等において一時的に吊り上げて保持し、あるいは、移動させたりする場合に用いるのに好適な、構造簡易で操作性が良く、しかも、低コストにて導入し得る重量ワーク吊持装置を提供することを課題とする。【解決手段】ベース１上に立設されたポスト２と、ポスト２の上端部において軸支されてシーソー運動するシ−ソーアーム３と、シーソーアーム３の一半部上に設置されるバランスウエイト駆動手段７と、シーソーアーム３の他半部上に敷設されるレール８と、レール８上に配置されてバランスウエイト駆動手段７によってレール８上を進退駆動されるバランスウエイト９と、シーソーアーム３のバランスウエイト駆動手段設置側端部に軸支される吊持手段１２、１４により構成する。【選択図】図１
2014218376.tif 000002
【特許請求の範囲】
【請求項１】
ベース上に立設されたポストと、前記ポストの上端部において軸支されてシーソー運動するシ−ソーアームと、前記シーソーアームの一半部上に設置されるバランスウエイトを駆動するための直動シリンダーである駆動用シリンダーと、前記シーソーアームの他半部上に敷設されるレールと、前記レール上に配置されて前記バランスウエイト駆動手段によって前記レール上を進退駆動されるバランスウエイトと、前記シーソーアームの前記駆動用シリンダー設置側端部に軸支される吊持手段とから成ることを特徴とする重量ワーク吊持装置。
【請求項２】
前記ポストの上端部に上方に開くコ字状の軸支部が設けられ、その内側に、やはり上方に開くコ字状のアーム取付部材が支持軸を介して前記軸支部に揺動自在に軸支され、前記シーソーアームは前記アーム取付部材の内底部に固定されることで、前記アーム取付部材と一体となって前記支持軸を軸にシーソー運動する、請求項１に記載の重量ワーク吊持装置。
【請求項３】
前記ポストは、上部に前記シーソーアームの回動端を規制する左右一対のストッパーを備える、請求項１又は２に記載の重量ワーク吊持装置。
【請求項４】
前記ベースは、移動可能及び／又は回動可能にされる請求項１乃至３のいずれかに記載の重量ワーク吊持装置。
【発明の詳細な説明】
【技術分野】
【０００１】
本発明は、重量ワーク吊持装置、より詳細には、例えば、２５〜３０ｋｇ程度の金属製製品や金属製部品（以下ワークという）の加工中に、当該ワークを一時的に吊り上げて保持したり、移動させたりする場合に用いる構造簡易な重量ワーク吊持装置に関するものである。
【背景技術】
【０００２】
上記ワークの加工過程、あるいは、修理や洗浄等の過程において、当該ワークを一時的に吊り上げて保持したり、移動させたりすることがある。その作業は、ワークが軽量であれば人手によって行うことに問題はないが、例えば２５〜３０ｋｇ、あるいは、それ以上の重量物である場合には、その作業を人手によって行うことは困難で、何らかの機械的手段によらなければならない。
【０００３】
そのための機械的手段としてクレーンが考えられるが、一般にクレーンは大掛かりなものであって、設置に大きなスペースが必要となり、また、設備コストもかかるため、スペースの少ない小工場において設置するのに適さない。
【０００４】
かくして、例えば、２５〜３０ｋｇ程度のワークを、その加工中や修理、洗浄中等において一時的に吊り上げて保持し、あるいは、移動させたりする場合に用いるのに好適な、構造簡易で操作性の良い重量ワーク吊持装置の出現が望まれていた。
【先行技術文献】
【特許文献】
【０００５】
【特許文献１】特開２００１−１０７７７号公報
【特許文献２】特開平１１−２４４５４６号公報
【発明の概要】
【発明が解決しようとする課題】
【０００６】
本発明は上記要望に応えるためになされたもので、例えば、２５〜３０ｋｇ程度のワークを、その加工中や修理、洗浄中等において一時的に吊り上げて保持し、あるいは、移動させたりする場合に用いるのに好適な、構造簡易で操作性が良く、しかも、低コストにて導入し得る重量ワーク吊持装置を提供することを課題とする。
【課題を解決するための手段】
【０００７】
上記課題を解決するための請求項１に記載の発明は、ベース上に立設されたポストと、前記ポストの上端部において軸支されてシーソー運動するシ−ソーアームと、前記シーソーアームの一半部上に設置されるバランスウエイトを駆動するための直動シリンダーである駆動用シリンダーと、前記シーソーアームの他半部上に敷設されるレールと、前記レール上に配置されて前記バランスウエイト駆動手段によって前記レール上を進退駆動されるバランスウエイトと、前記シーソーアームの前記駆動用シリンダー設置側端部に軸支される吊持手段とから成ることを特徴とする重量ワーク吊持装置である。
【０００８】
一実施形態においては、前記ポストの上端部に上方に開くコ字状の軸支部が設けられ、その内側に、やはり上方に開くコ字状のアーム取付部材が支持軸を介して前記軸支部に揺動自在に軸支され、前記シーソーアームは前記アーム取付部材の内底部に固定されることで、前記アーム取付部材と一体となって前記支持軸を軸にシーソー運動する。
【０００９】
一実施形態においては、前記ポストは、上部に前記シーソーアームの回動端を規制する左右一対のストッパーを備え、また、前記ベースは、移動可能及び／又は回動可能にされる。
【発明の効果】
【００１０】
本発明は上述したとおりであって、本発明に係る重量ワーク吊持装置は、構成簡易であって低コストにて提供でき、設置にスペースを取らないために小工場等においても手軽に導入することができ、簡単な操作で重量の嵩むワークを一時的に吊持したり、移動させたりすることが容易なる効果がある。
【図面の簡単な説明】
【００１１】
【図１】本発明に係る重量ワーク吊持装置の一実施形態の構成を示す正面図である。
【図２】本発明に係る重量ワーク吊持装置の一実施形態の構成を示す側面図である。
【図３】本発明に係る重量ワーク吊持装置の一実施形態の要部を示す斜視図である。
【発明を実施するための形態】
【００１２】
以下に、本発明を実施するための形態について、図面に依拠して説明する。図１は、本発明に係る重量ワーク吊持装置の実施例を示す正面図、図２はその側面図であり、該装置は、ベース１上に立設されたポスト２の上端部において軸支され、シーソー運動をするシーソーアーム３を備える。ベース１は、各種加工機械に固定されることがあり、また、キャスターを備え付ける等によって移動可能にされ、あるいは、揺動モータを設置する等によって旋回可能にされることもある。
【００１３】
シーソーアーム３を軸支するポスト２の上端部には、上方に開くコ字状の軸支部４が設けられ、その内側に、やはり上方に開くコ字状のアーム取付部材５が配置される（図２、３参照）。アーム取付部材５は、その上部が、支持軸６を介して軸支部４の上部に揺動自在に軸支される。シーソーアーム３は、このアーム取付部材５の内底部に固定されることにより、アーム取付部材５と一体となって若干揺動しつつ、支持軸６を軸に円滑にシーソー運動する。なお、シーソーアーム３は、アーム取付部材５を介することなく、直接支持軸６によって軸支させることもできる。
【００１４】
シーソーアーム３の一半部上には、バランスウエイト駆動手段としての直動型の駆動用シリンダー７（通例エアシリンダー）が設置される。また、シーソーアーム３の他半部上にはレール８が敷設され、レール８に跨るようにバランスウエイト９が配置され、バランスウエイト９は、レール８に沿って移動可能にされる。
【００１５】
このバランスウエイト９の端面に駆動用シリンダー７のロッド７ａ先端が固定され、以てバランスウエイト９は、駆動用シリンダー７のロッド７ａの進退動作に伴ってレール８上を前進し、あるいは、後退するように動作して、後述するように、ワーク３０を上昇させ、あるいは、下降させる。
【００１６】
なお、図１に示す例では、シーソーアーム３のレール８敷設側端部に、駆動用シリンダー７よりも大径で高出力の受けシリンダー１１（通例エアシリンダー）が配設されている。この受けシリンダー１１は、レール８上を移動してくるバランスウエイト９を受けるストッパーとしての役割りを果たすもので、そのロッド１１ａが伸状態にあるときにその先端部でバランスウエイト９を受け止める役目を果たす（図４（Ｂ）参照）。
【００１７】
ワーク３０の吊持手段は、上端部がシーソーアーム３の端部に枢支される吊持アーム１２と、吊持アーム１２の下部に配置される操作部１３と、操作部１３の下側に設置されるフック１４とから成る。操作部１３は、駆動用シリンダー７を作動させるためのスイッチ１５と、受けシリンダー１１を操作するための操作レバー１６とを含む。なお、図中１７、１８は、シーソーアーム３の回動端を規制するストッパーであり、必要に応じて設置される。
【００１８】
上記構成において、先ず、ワーク３０のない状態において、シーソーアーム３の左右のモーメントが釣り合った状態から駆動用シリンダー７が縮動作すると、バランスウエイト９が駆動用シリンダー７側に引かれるため、シーソーアーム３にかかる荷重は、駆動用シリンダー７設置側に偏る。そのため、シーソーアーム３の左右のモーメントの釣り合いが崩れ、シーソーアーム３は、駆動用シリンダー７設置側が下がった状態となる。
【００１９】
その状態においてフック１４にワーク３０を掛け、スイッチ１３を入れて駆動用シリンダー７に伸動作をさせると、バランスウエイト９がレール８上を移動し、やがてバランスウエイト９がシーソーアーム３の重量バランスの支点を越える。そして、シーソーアーム３のレール８設置側のモーメントが勝るに至ると、シーソーアーム３が徐々に図１において反時計回りに回動し、ワ−ク３０が吊り上げられる。ワーク３０を降ろす場合は、逆の操作を行えばよい。
【００２０】
このように、本発明に係る装置は部品点数の少ない簡易な構成であって、ワーク３０をフック１６に掛けた後、単に駆動用シリンダー７を作動させる等の簡単な操作で、ワーク３０を任意の高さに吊り上げ、その状態を維持させることができる。また、本装置（ベース１及び／又はポスト２）が可動の場合には、ワ−ク３０を任意の位置に移動させることができる。
【００２１】
この発明をある程度詳細にその最も好ましい実施形態について説明してきたが、この発明の精神と範囲に反することなしに広範に異なる実施形態を構成することができることは明白である、従って、この発明は、添付請求の範囲において限定した以外はその特定の実施形態に制約されるものではない。
【符号の説明】
【００２２】
１      ベース
２      ポスト
３      シーソーアーム
４      軸支部
５      アーム取付部材
６      支持軸
７      駆動用シリンダー
７ａ    ロッド
８      レール
９      バランスウエイト
１１      受けシリンダー
１１ａ    ロッド
１２      吊持アーム
１３      操作部
１４      フック
１５      スイッチ
１６      操作レバー
１７      ストッパー
１８      ストッパー
【図１】
2014218376.tif 000003
【図２】
2014218376.tif 000004
【図３】
2014218376.tif 000005